(57)【要約】【課題】スケジュール管理のできるテレビジョン受像装置を提供する。【解決手段】テレビジョン受像機に、携帯端末装置を着脱可能な形態で保持する保持部と、携帯端末装置の装着により信号接続が行われ、スケジュールデータが取得できるデータ取得手段と、現在時間があらかじめ設定された時間帯内であるときは、テレビジョン受像機の電源を入れると、スケジュールデータが所定の画面構成でもって、設定された時間だけ画面に表示される表示手段とによりスケジュール管理のできるテレビジョン受像装置が提供できる。【選択図】図１
2005065153.tif 000002
【特許請求の範囲】
【請求項１】
テレビジョン放送を受像すると共に携帯端末装置に記録保存されているスケジュールデータを読み出し画面に表示するテレビジョン受像機において、
前記携帯端末装置と電気的に結合して前記携帯端末装置から前記スケジュールデータを取得するデータ取得手段と、
前記データ取得手段により取得されたスケジュールデータをメモリに記憶する記憶手段と、
前記記憶手段によりメモリに記憶された前記スケジュールデータを画像信号に変換し画面に表示する表示手段と
を備えたことを特徴とするテレビジョン受像機。
【請求項２】
年月日、時刻を発生する時計手段と、
テレビジョン受像機の電源スイッチをオンした時点の前記時計手段の年月日データと前記携帯端末装置から取得したスケジュールデータ内の年月日データとが一致しているか判定する年月日判定手段と、
前記年月日判定手段の結果に基づき、前記表示手段により前記スケジュールデータを画面に表示するか否かを選択する選択手段と
を備えたことを特徴とする請求項１に記載のテレビジョン受像機。
【請求項３】
前記スケジュールデータの表示可能時間帯（表示開始時刻〜終了時刻）と表示継続時間とを設定し記憶する設定手段と、
テレビジョン受像機の電源スイッチをオンした時点の時刻が前記表示可能時間帯内であるか判定する表示可能時間判定手段と、
前記電源スイッチをオンした時点からの経過時間が前記表示継続時間以内であるか判定する継続時間判定手段と、
前記表示可能時間判定手段と前記継続時間判定手段の結果に基づき、前記表示手段により前記スケジュールデータを画面に表示するか否かを選択する選択手段と
を備えたことを特徴とする請求項１または請求項２に記載のテレビジョン受像機。
【請求項４】
テレビジョン放送を受像すると共に携帯端末装置に記録保存されているスケジュールデータを読み出し画面に表示するテレビジョン受像機の画面の表示方法において、
前記携帯端末装置と電気的な接続を行い、前記携帯端末装置からスケジュールデータを取得し内部のメモリに記憶するスケジュールデータ取得ステップと、
テレビジョン受像機内部に年月日、時刻を発生する時計手段を持ち、電源スイッチをオンした時点の前記時計手段の年月日データと前記携帯端末装置から取得した前記スケジュールデータ内の年月日データとを比較する年月日比較ステップと、
スケジュールデータの表示可能時間帯（表示開始時刻〜終了時刻）と表示継続時間とを設定し記憶する設定手段を有し、電源スイッチをオンした時点の時刻が前記表示可能時間帯内であるかを判定する表示可能時間判定ステップと、
前記電源スイッチをオンした時点からの経過時間が前記表示継続時間以内であるかを判定する継続時間判定ステップと、
前記年月日比較ステップと前記表示可能時間判定ステップおよび前記継続時間判定ステップの結果に基づき、前記記憶したスケジュールデータを画像信号に変換し画面に表示するか否かを選択する表示ステップと
を有することを特徴とするテレビジョン受像機の画面の表示方法。
【発明の詳細な説明】
【技術分野】
【０００１】
本発明は、テレビジョン受像機に係り、特に個人スケジュールデータの表示が可能な装置に関する。
【背景技術】
【０００２】
近年、仕事の予定を電子化したスケジュールデータで管理することがよく行われている。この場合、会社内で仕事をしているときはパソコンを用いて管理することが多いが、社外でも活用するためには、ＰＤＡ（Personal Digital Assistance）などの携帯型の端末にスケジュールデータを転送して持ち出したり、あるいは外出先で携帯型の端末に入力したデータを社内のパソコンに転送するなど、相互に連携して活用することが行われている。
【０００３】
このような使い方以外にも、電子化したスケジュールデータをどんな場所でも活用できる工夫の一例として、下記特許文献１では、ネットワークを介して、携帯端末でスケジュールデータを送受信できるシステムの提案が行われている。
【特許文献１】特開平９−１１６６３２号公報
【発明の開示】
【発明が解決しようとする課題】
【０００４】
ところで、その日のスケジュールを朝の出社前に確認し、一日の予定を立てることは重要である。しかし、忙しい朝にＰＤＡ等の携帯端末を起動し、小さな画面でスケジュールデータを確認することは面倒であり、また、時間がないためにできなかったり、忘れがちである。このために大事なスケジュール管理ができないという課題があった。
【０００５】
本発明は、このような従来の問題点に鑑みなされたものであり、その目的は、テレビジョンを見るという日常的な動作でその日のスケジュールの確認を可能とするもので、テレビジョン受像機の電源を入れたときに、設定条件に合った時間帯では、ＰＤＡ等の端末装置からのスケジュールデータが、常に画面に表示されるテレビジョン受像機を提供することである。
【課題を解決するための手段】
【０００６】
本発明は、上記課題を解決する手段として以下の（１）〜（４）に記載の構成からなる。すなわち、
（１）テレビジョン放送を受像すると共に携帯端末装置に記録保存されているスケジュールデータを読み出し画面に表示するテレビジョン受像機において、
前記携帯端末装置と電気的に結合して前記携帯端末装置から前記スケジュールデータを取得するデータ取得手段と、
前記データ取得手段により取得されたスケジュールデータをメモリに記憶する記憶手段と、
前記記憶手段によりメモリに記憶された前記スケジュールデータを画像信号に変換し画面に表示する表示手段と
を備えたことを特徴とするテレビジョン受像機。
（２）年月日、時刻を発生する時計手段と、
テレビジョン受像機の電源スイッチをオンした時点の前記時計手段の年月日データと前記携帯端末装置から取得したスケジュールデータ内の年月日データとが一致しているか判定する年月日判定手段と、
前記年月日判定手段の結果に基づき、前記表示手段により前記スケジュールデータを画面に表示するか否かを選択する選択手段と
を備えたことを特徴とする請求項１に記載のテレビジョン受像機。
（３）前記スケジュールデータの表示可能時間帯（表示開始時刻〜終了時刻）と表示継続時間とを設定し記憶する設定手段と、
テレビジョン受像機の電源スイッチをオンした時点の時刻が前記表示可能時間帯内であるか判定する表示可能時間判定手段と、
前記電源スイッチをオンした時点からの経過時間が前記表示継続時間以内であるか判定する継続時間判定手段と、
前記表示可能時間判定手段と前記継続時間判定手段の結果に基づき、前記表示手段により前記スケジュールデータを画面に表示するか否かを選択する選択手段と
を備えたことを特徴とする請求項１または請求項２に記載のテレビジョン受像機。
（４）テレビジョン放送を受像すると共に携帯端末装置に記録保存されているスケジュールデータを読み出し画面に表示するテレビジョン受像機の画面の表示方法において、
前記携帯端末装置と電気的な接続を行い、前記携帯端末装置からスケジュールデータを取得し内部のメモリに記憶するスケジュールデータ取得ステップと、
テレビジョン受像機内部に年月日、時刻を発生する時計手段を持ち、電源スイッチをオンした時点の前記時計手段の年月日データと前記携帯端末装置から取得した前記スケジュールデータ内の年月日データとを比較する年月日比較ステップと、
スケジュールデータの表示可能時間帯（表示開始時刻〜終了時刻）と表示継続時間とを設定し記憶する設定手段を有し、電源スイッチをオンした時点の時刻が前記表示可能時間帯内であるかを判定する表示可能時間判定ステップと、
前記電源スイッチをオンした時点からの経過時間が前記表示継続時間以内であるかを判定する継続時間判定ステップと、
前記年月日比較ステップと前記表示可能時間判定ステップおよび前記継続時間判定ステップの結果に基づき、前記記憶したスケジュールデータを画像信号に変換し画面に表示するか否かを選択する表示ステップと
を有することを特徴とするテレビジョン受像機の画面の表示方法。
【発明の効果】
【０００７】
本発明によるテレビジョン受像機は、携帯端末の保持機能と信号接続機能とを兼ねたポケットを装備しており、ここにＰＤＡ等の携帯端末を装着することでスケジュールデータが転送される構成と、あらかじめ設定された時間帯では、テレビジョン受像機の電源を入れると画面にスケジュールが所定の時間だけ表示される構成とにより、例えば、朝の忙しい時間帯に応用すれば、常に画面の一部あるいは全体にスケジュールが表示されるので、他のことをしていても、合間のわずかな時間にその日のスケジュールが確認できるようになる等、テレビジョン受像機能とスケジュール管理機能が融合した便利な装置となる。
【発明を実施するための最良の形態】
【０００８】
以下、本発明のテレビジョン受像機の実施形態につき、好ましい実施例により図面を参照して説明する。
【実施例】
【０００９】
図１は本発明によるテレビジョン受像機の一例を示す外観図、図２はテレビジョン受像機の内部回路で本発明の関連部分のブロック図、図３はスケジュールデータの内容を示す図、図４はスケジュールデータを取得する動作のフローチャート、図５は日付を判定するフローチャート、図６は画像出力部の動作を示すフロ−チャート、図７はスケジュールデータを表示した画面の例、図８はリモコンの外観図、図９は表示時間設定の画面の例、図１０は画面表示を制御する動作のフローチャートである。
なお、それぞれの図を説明するにあたり、他の図面の符号を参照することがある。
【００１０】
図１は本発明によるテレビジョン受像機の外観上の構成要素を示したもので、１００はテレビジョン受像機の本体、１０１は表示画面部、１０２は携帯端末を保持するポケット部、１０３は電源スイッチ、１０４は携帯端末で、一例としてＰＤＡ１０４ａと携帯電話１０４ｂを示している。
前記ポケット部１０２は、図示するように上方が開放した形状になっており、ＰＤＡ１０４ａや携帯電話１０４ｂなどの携帯端末１０４を装着する構造になっている。更に、ポケット部１０２の奥には図示していないがコネクタが設けられており、ポケット部１０２に装着された携帯端末１０４の下部に設けられている既設のコネクタと結合し、テレビジョン受像機の本体１００との間でデータの伝送ができるようになっている。
なお、携帯端末１０４をポケット部１０２に装着した状態で充電できるよう構成すれば、充電器に差し込む代わりに、このポケット部１０２に差し込むことが習慣となり、常に装着されるので好適である。
【００１１】
図２は、テレビジョン受像機の内部回路で本発明に関連する部分のブロック図であるが、２０１はＣＰＵ、２０２はメモリ、２０３は画像出力部、２０４は時計、２０５はオペレートキーなどで構成される操作部、２０６はチューナ部、２０７は前記携帯端末１０４と結合するコネクタである。そして、これらの各ブロックは２０８のバスラインを通してデータの伝送が行われる。なお、チューナ部２０６から画像出力部２０３へ伝送される映像信号については、バスラインを通らずに直接接続されている。
【００１２】
次に、上記ブロック図の動作について、各種のフローチャートを用いて説明する。
まず、コネクタ２０７を介して携帯端末１０４からスケジュールデータを受信する動作について図４のフローチャートを用いて説明する。
【００１３】
図４のフローチャートでは、まず照合開始をすると、同図ステップ４０１で「携帯端末は接続されているか？」を実行する。この部分の具体的な動作は、ＣＰＵ２０１がコネクタ２０７を介して携帯端末１０４に質問信号を送り、この質問信号に対して携帯端末１０４から応答が行われれば携帯端末１０４が接続されたものと判定するものである。
次に、ＣＰＵ２０１は携帯端末１０４と通信可能と判断すると、ステップ４０２で「携帯端末にsche.csvファイルは有るか？」を調査する。本実施例では、スケジュールデータを仮にsche.csvというファイル名とする。このファイルが携帯端末１０４に存在する場合には、ＣＰＵ２０１は携帯端末１０４からコネクタ２０７を介して、ステップ４０３に記すように「sche.csvファイルを取得」する。
続いてＣＰＵ２０１は、ステップ４０４で「sche.csvファイルとメモリ上のmemory.csvファイルに違いが有るか？」を判定する。ここはsche.csvファイルとメモリ２０２に記憶されている以前のスケジュールデータmemory.csvファイルとの照合をするもので、照合の結果sche.csvとmemory.csv間に差が有る場合は、ステップ４０５のように「memory.csvファイルをsche.csvファイルで上書き」する。これにより、最新のスケジュールデータをメモリ２０２に記憶することができる。
以上のようにしてメモリ２０２には携帯端末１０４からのスケジュールデータが蓄積される。
【００１４】
図３は、前記のスケジュールデータであるsche.csvファイルまたはmemory.csvファイルの内容を分り易く並べてものである。図示するように、スケジュールデータは、スケジュール番号３０１、タイトル３０２、開始日時３０３、終了日時３０４、場所３０５の各データで構成されており、このデータ列が１または複数個使用される。
図は３０６Ａ〜Ｃの３個のスケジュールデータが有る場合を示している。
【００１５】
次に、図５のフローチャートを用いてテレビジョン受像機の電源スイッチを入れた際の動作を説明する。電源スイッチ１０３をオンすると、まず同図のステップ５０１の「時計から現在時刻、今日の日付を取得」が実行され、ＣＰＵ２０１が時計２０４から「現在時刻」と「今日の日付」を取得する。
次にステップ５０２の「memory.csv上のスケジュールの開始日時に今日の日付と同じものが有るか？」の判定が行われる。これは、メモリ２０２上のmemory.csvファイルに記憶されたスケジュール３０６Ａ〜Ｃの各開始日時３０４内の日付データと、上記で取得した「今日の日付」とが一致するものが有るかを判断するものである。
上記の判定で一致するデータがある場合には、次にステップ５０３の「該当するスケジュールのデータを表示部に送る」に進み、ＣＰＵ２０１は、該当するスケジュールの番号３０１、タイトル３０２、開始日時３０３、終了日時３０４、場所３０５の全データを画像出力部２０３に送るようにする。
【００１６】
次に画像出力部２０３の動作について、図６のフロ−チャートに基づいて説明する。
ＣＰＵ２０１は、まず同図のステップ６０１の「画像出力部にスケジュールのデータが送られているか？」を判定する。ここでスケジュールデータが送られていない場合には、ステップ６０３の「テレビ画面を出力」に進み、チューナ部２０６からバスラインを通らずに接続されている映像信号を画面に出力させるように画像出力部２０３を制御する。
一方、画像出力部２０３にスケジュールデータが送られている場合は、ステップ６０２「スケジュール表を出力」に進み、スケジュールデータを画像に変換して画面に出力するように画像出力部２０３を制御する。
【００１７】
上記のスケジュールデータを画像に変換して表示する画面の例を、図７（ａ）、同図（ｂ）に示す。
図７（ａ）は画面全体にスケジュールデータを表示するもので、画面の上部には７０１で示すように、今日の日付と時計２０４から取得した現在の時刻が表示されている。そして、画面左側に午前の、右側に午後の予定を夫々表示できるように表示欄が設けられ、ここには例として７０２ａと７０２ｂで示す、図３のスケジュールデータ３０６Ａ，同Ｂの内容が表示されている。この表示法はスケジュールデータを集中的に確認するのに適している。
図７（ｂ）はスケジュールデータをテレビ放送画面と合成して表示する例である。この図の例では、ほぼ全体は放送画面であるが、下部にスケジュールデータを表示する領域７０３を設け、この部分に図３のスケジュールデータ３０６Ａ，同Ｂの内容を７０４ａ、７０４ｂで示すようにテキスト文字にして、画面の右から左にゆっくり流れるように動かして繰り返し表示する表示法である。このような表示は、画面の主要部ではテレビ放送のニュースなどを見ることができると同時に、スケジュールデータを文字情報として合間に確認することができるので好都合である。
【００１８】
次に、スケジュールデータを画面表示させる条件の設定について説明する。
これまで説明した実施例の構成では、テレビジョン受像機の電源スイッチをオンすると、その日のスケジュールデータが有る場合には、常に画面に表示されるが、スケジュールは朝だけの表示で良い場合があるし、また、それ程長時間表示する必要もないなど、個々の都合に併せた表示ができるような条件設定が必要である。
表示の条件設定としては、表示時間帯（開始時刻〜終了時刻）、表示継続時間の２種類である。これについて、図８〜図１０を用いて説明する。
【００１９】
図９は表示時間設定の画面の例である。この設定は図８に示すリモコンで行う。
まず、リモコンのメニューボタン８０１を押すと、ＣＰＵ２０１は表示時間設定モードとなり、画像出力部２０３に、図９に示すメニュ画面を出力させるよう制御する。そこでリモコンの十字キー８０２の上下キーを用いてメニュ画面上のカーソル９０１を移動し、「スケジュール表示  開始時刻」９０２にカーソルを合わせ、リモコンの設定ボタン８０３を押す。次にリモコンのテンキー８０４を使って、スケジュール表示を開始しても良い時刻、例えば６：００と入力し設定ボタン８０３を押すと、その時刻が表示されると共に、「開始時刻」としてメモリ２０２に記憶される。
同様にメニュ画面上の「スケジュール表示  終了時刻」９０３にカーソル９０１を移動し、テンキー８０４を使って９：００と設定すると、その時刻が表示され、「終了時刻」としてメモリ２０２に記憶される。
更に、メニュ画面上の「スケジュール表示  継続時間」９０４にカーソル９０１を移動し、テンキー８０４を使って１０．０（分）と設定すると、その時間が表示され、「表示継続時間（Ｔｈ）」としてメモリ２０２に記憶される。
最後にメニュ画面上の「表示画面  選択」９０５にカーソル９０１を合わせ、リモコンの十字キー８０２の左右キーを用いて（ａ）または（ｂ）の画面を選択し、設定ボタン８０３を押すとこの選択結果はメモリ２０２に記憶される。
このようにして表示時間の設定が完了する。
【００２０】
次に図１０のフローチャートを用いて画面の表示時間の制御を説明する。
電源スイッチ１０３がオンされると、ＣＰＵ２０１は、まずステップ１００１の「表示経過時間（Ｔｓ）をリセット、（Ｔｓ）を計測開始」を実行し、次いでステップ１００２の「表示継続時間（Ｔｈ）は  Ｔｓ＜Ｔｈ？」の判定を行う。
もしＴｓがＴｈよりも大であれば、表示継続時間を経過しているので、ステップ１００３の経路で画像出力部２０３はテレビ画面を出力することになる。
ＴｓがＴｈよりも小であれば、次にステップ１００４の「開始時刻＜現在時刻＜終了時刻？」の判定に進む。ここでＣＰＵ２０１は、時計２０４から取得した現在時刻と、メモリ２０２に記憶されている画面表示させる条件の設定で設定した表示の「開始時刻」「終了時刻」とを照合し、現在時刻が開始時刻と終了時刻の間にあるか判定することになり、ノーであればステップ１００５の経路で画像出力部２０３はテレビ画面を出力することになる。
現在時刻が開始時刻と終了時刻の間である場合は、次にＣＰＵ２０１はステップ１００６の「画像出力部にスケジュールが送られているか？」に進む。もしここでスケジュールデータが送られていなければ、ステップ１００７の経路で画像出力部２０３はテレビ画面を出力することになるが、スケジュールが送られている場合は、次のステップ１００８の「スケジュール表を出力」に進む。そしてこの表示時間の制御はどこかの判定ステップでノーが出るまで表示を継続するループになっている。
【００２１】
上記の方法による表示時間の制御に、前述した表示の設定条件を当てはめると、本実施例では、ＡＭ６：００からＡＭ９：００の間にテレビジョン受像機を点けると、１０分間継続してスケジュールデータが表示されるが、それ以外の時間はテレビ放送画面が表示されるようになる。
【００２２】
以上詳述したように、本実施例で説明したスケジュールデータの表示が可能なテレビジョン受像機は、ＰＤＡなどの携帯端末から簡単な操作でデータの伝送ができ、日常のテレビ放送を見る場合と同じ操作でスケジュールデータが表示されるので、特に出社前の忙しい時間帯でも、その日のスケジュールの確認が大きな画面でできるようになる。
また表示時間帯の設定により、スケジュールの確認が不要の時間帯では表示をさせないようにできるので、テレビ放送の視聴の妨げになることがない。
なお、画面に表示するデータはその日のスケジュールに限るものでがなく、ＴＯＤＯリストや備忘録、当日に連絡する相手の電話番号など、その日に確認する必要のあるデータであれば、夫々に合わせた表示画面を用意することで同様に適用することができる。
【図面の簡単な説明】
【００２３】
【図１】本発明によるテレビジョン受像機の一例を示す外観図
【図２】テレビジョン受像機の内部回路で本発明の関連部分のブロック図
【図３】スケジュールデータの内容を示す図
【図４】スケジュールデータを取得する動作のフローチャート
【図５】日付を判定するフローチャート
【図６】画像出力部の動作を示すフロ−チャート
【図７】スケジュールデータを表示した画面の例
【図８】リモコンの外観図
【図９】表示時間設定の画面の例
【図１０】画面表示を制御する動作のフローチャート
【符号の説明】
【００２４】
１００  テレビジョン受像機
１０１  画面表示部
１０２  ポケット部
１０３  電源スイッチ
１０４  携帯端末装置
【図１】
2005065153.tif 000003
【図２】
2005065153.tif 000004
【図３】
2005065153.tif 000005
【図４】
2005065153.tif 000006
【図５】
2005065153.tif 000007
【図６】
2005065153.tif 000008
【図７】
2005065153.tif 000009
【図８】
2005065153.tif 000010
【図９】
2005065153.tif 000011
【図１０】
2005065153.tif 000012